(57)【要約】【課題】ベッドに着脱自在であり、ベッドと共に移動させる際も、別々ではなく一体として移動させることができ、移動の手間を軽減することができるベッド用カーテンフレームを提供する。【解決手段】ベッド用カーテンフレーム(A1)は、カーテン(3)を取り付けるカーテンフレーム本体(1)と、ベッド(4)の幅方向の同じ側にある脚(40,40)に着脱自在でありカーテンフレーム本体(1)を支える二本の支脚(2,2)を備えている。ベッド用カーテンフレーム(A1)をベッドに取り付けたときに、カーテンフレーム本体(1)に取り付けられるカーテン(3)によってベッド(4)の側部の全方向を覆うことができる。【選択図】図１
0003146630.tif 000002
【実用新案登録請求の範囲】
【請求項１】
カーテンを取り付けるカーテンフレーム本体(1)と、ベッドの所要箇所に着脱自在でありカーテンフレーム本体(1)をベッド上方の所要高さで支える支脚(2,2)を備えており、
カーテンフレーム本体(1)は、カーテンフレーム本体(1)に取り付けられるカーテンでベッドの側部の一部方向または全方向を覆うことができる形状を有している、
ベッド用カーテンフレーム。
【請求項２】
カーテンを取り付けるカーテンフレーム本体(1)と、ベッドの幅方向の同じ側にある脚に着脱自在でありカーテンフレーム本体(1)をベッド上方の所要高さで支える二本の支脚(2,2)を備えており、
カーテンフレーム本体(1)は、カーテンフレーム本体(1)に取り付けられるカーテンでベッドの側部の一部方向または全方向を覆うことができる形状を有している、
ベッド用カーテンフレーム。
【請求項３】
請求項１または２のいずれかに記載のベッド用カーテンフレームを取り付けた、
ベッド。
【考案の詳細な説明】
【技術分野】
【０００１】
本考案は、ベッド用カーテンフレーム及びそれを備えたベッドに関するものである。更に詳しくは、ベッドに着脱自在であり、ベッドを移動させる際も、別々ではなく一体として移動させることができるものに関する。
【背景技術】
【０００２】
例えば病院の病室に置いてあるベッドは、入院患者が横になったり就寝する以外にも、患者が着替えをしたり、あるいは介護が必要な高齢者の下着やオムツを看護師が取り替えたりするためのスペースでもある。したがって、多くの場合、ベッドの周囲を覆う目隠し用のカーテンを吊り下げることができるようになっている。
【０００３】
従来は、天井にカーテンレールを設けるタイプが一般的であったが、これではカーテンを使うことができる場所が限定されるため、ベッドと一緒に移動できるようにベッドと組み合わせるタイプもある（特許文献１参照）。
【０００４】
特許文献１に開示された「ベッド廻りカーテンフレーム」は、ベースプレートに円筒状の突起を設け、ベースプレートにアルミニウム製のパイプからなる枠体を着脱可能に取り付け、枠体に支持ロッドを着脱可能に取り付け、支持ロッドに環状カーテンレールを固定して形成されており、ベッドの廻りにカーテンを吊すことができるというものである。
【０００５】
【特許文献１】特開２００２−１０２０５６
【考案の開示】
【考案が解決しようとする課題】
【０００６】
しかしながら、前記従来の「ベッド廻りカーテンフレーム」はベッドと組み合わせて使用されるとはいっても、ベッドとは別体となっており、ベッドに固定するようにはなっていない。このため、使用している状態からベッドを移動させる場合は、まずベッドをカーテンフレームから離れた位置に仮置きにし、次にカーテンフレームを本来ベッドを置く場所に据え置き、最後にベッドをカーテンフレームの内側に移動させるという手順を踏む必要がある。したがって、ベッドをカーテンフレームと共に移動させるには大変な手間がかかり、作業が繁雑になってしまう。
【０００７】
（本考案の目的）
本考案の目的は、ベッドに着脱自在であり、ベッドと共に移動させる際も、別々ではなく一体として移動させることができ、移動の手間を軽減することができるベッド用カーテンフレーム及びそれを備えたベッドを提供することである。
【課題を解決するための手段】
【０００８】
上記課題を解決するために本考案が講じた手段は次のとおりである。
本考案は、
カーテンを取り付けるカーテンフレーム本体と、ベッドの所要箇所に着脱自在でありカーテンフレーム本体をベッド上方の所要高さで支える支脚を備えており、
カーテンフレーム本体は、カーテンフレーム本体に取り付けられるカーテンでベッドの側部の一部方向または全方向を覆うことができる形状を有している、
ベッド用カーテンフレームである。
【０００９】
本考案は、
カーテンを取り付けるカーテンフレーム本体と、ベッドの幅方向の同じ側にある脚に着脱自在でありカーテンフレーム本体をベッド上方の所要高さで支える二本の支脚を備えており、
カーテンフレーム本体は、カーテンフレーム本体に取り付けられるカーテンでベッドの側部の一部方向または全方向を覆うことができる形状を有している、
ベッド用カーテンフレームである。
【００１０】
本考案は、
前記いずれかのベッド用カーテンフレームを取り付けたベッドである。
【００１１】
（作用）
本考案に係るベッド用カーテンフレーム及びそれを備えたベッドの作用を説明する。なお、ここでは、説明で使用する各構成要件に、後述する実施の形態において各部に付与した符号を対応させて付与するが、この符号は、実用新案登録請求の範囲の各請求項に記載した符号と同様に、あくまで内容の理解を容易にするためであって、各構成要件の意味を上記各部に限定するものではない。
【００１２】
ベッド用カーテンフレーム(A1)を使用する際には、まず、ベッド用カーテンフレーム(A1)の支脚(2,2)をベッド(4)の幅方向の同じ側にある脚(40,40)に固定する。次に、カーテンフレーム本体(1)のカーテンレールに備えてある多数のリングランナにカーテン(3)を取り付けて吊り下げる。
【００１３】
ベッド用カーテンフレーム(A1)をこのようにベッド(4)に固定すると、ベッド用カーテンフレーム(A1)はいわゆる片持ち式となり、カーテンフレーム本体(1)がベッド(4)の上方に位置しているので、カーテン(3)はベッド(4)の上方を除く側部の一部方向または全方向を覆うことができる。
【００１４】
また、片持ち式であるために、支脚(2,2)以外に邪魔になる部分がなく、ベッド(4)への出入りがしやすい利点がある。また、ベッド用カーテンフレーム(A1)をベッド(4)と共に移動させる際は、別々ではなく一体として移動させることができ、従来のものと比較して、移動の手間を軽減することができる。
【考案の効果】
【００１５】
本考案によれば、ベッド用カーテンフレームをベッドに固定することができるので、ベッド用カーテンフレームをベッドと共に移動させる際、別々ではなく一体として移動させることができ、従来のものと比較して、移動の手間を軽減することができる。
【考案を実施するための最良の形態】
【００１６】
本考案を図面に示した実施例に基づき詳細に説明する。
〔実施の形態１〕
【００１７】
図１は本考案に係るベッド用カーテンフレームの第１実施形態の使用状態を示す説明図、
図２は図１に示したベッド用カーテンフレームの分解説明図である。
【００１８】
ベッド用カーテンフレームＡ１は、カーテン３を取り付ける金属製のカーテンフレーム本体１と、ベッド４の脚４０に着脱自在であり、カーテンフレーム本体１を支える、同じく金属製の支脚２、２を備えている。
【００１９】
カーテンフレーム本体１は、角管で形成された長尺部１０、１０と短尺部１１、１１によって、平面視でほぼ長方形状になるように形成されている。カーテンフレーム本体１の四隅は丸められており、カーテン３を取り付けるリングランナ（図示省略）の滑走が円滑にできるようにしてある。
【００２０】
長尺部１０、１０の両端側には、長尺部１０、１０を繋ぐ補強リブ１２、１２が短尺部１１、１１と平行に固着されている。補強リブ１２、１２の同方向の一端側には、螺子通孔１３が設けられている。螺子通孔１３は、支脚２、２の上部を固定するための螺子を通す孔である。
【００２１】
なお、カーテンフレーム本体１の長尺部１０、１０と短尺部１１、１１の下面側には、全周にわたりカーテンレール（図示省略）が保持されている。前記リングランナは、前記したようにカーテン３を取り付けた（吊り下げた）状態でカーテンレールに沿って滑走することができる。
【００２２】
支脚２、２は円管でＬ字形状に形成されている。取り付け時、下部側となる短尺の水平部２０の先端には半円形に湾曲した挟持板２１が固着されている。挟持板２１は、対となる同形状の挟持板２２を螺子着することによって、ベッド４の脚４０を挟持し、これによって支脚２、２を図１に示すように脚４０に固定することができる。
【００２３】
支脚２、２において、取り付け時、上部側となる長尺の垂直部２３の先端には、断面コ字形状の取着受具２４が固着されている。カーテンフレーム本体１は、支脚２、２の上部にある取着受具２４に補強リブ１２、１２の螺子通孔１３が設けられている部分を嵌め入れ、着脱可能に螺子着する。これにより、カーテンフレーム本体１は、支脚２、２を介してベッド４上方の所要高さに固定されると共に水平に支持される。
【００２４】
（作用）
図１及び図２を参照してベッド用カーテンフレームＡ１及びそれを備えたベッド４の作用を説明する。
まず、図１に示すように、ベッド用カーテンフレームＡ１の支脚２、２をベッド４の幅方向の同じ側にある脚４０、４０に固定する。カーテンフレーム本体１のカーテンレールに備えてある多数のリングランナにカーテン３を取り付けて吊り下げる。
【００２５】
ベッド用カーテンフレームＡ１はいわゆる片持ち式であり、カーテンフレーム本体１がベッド４の上方に位置しているので、カーテン３はベッド４の上方を除くほぼ全方向を覆うことができる。これにより、ベッド４を壁から大きく離れた位置に置いても内部をカーテン３で隠すことができる。また、片持ち式であるために、支脚２、２以外に邪魔になる部分がなく、ベッド４への出入りがしやすい利点もある。
【００２６】
また、ベッド用カーテンフレームＡ１をベッド４と共に移動させる際も、別々ではなく一体として移動させることができ、前記従来のものと比較して、移動の手間を軽減することができる。
【００２７】
〔実施の形態２〕
【００２８】
図３は本考案に係るベッド用カーテンフレームの第２実施形態の使用状態を示す説明図である。なお、本実施の形態では、図面において前記ベッド用カーテンフレームＡ１と同等箇所に同一符号を付して示し、構造について重複する説明は基本的に省略する。
【００２９】
ベッド用カーテンフレームＡ２は、カーテンフレーム本体１ａの長尺部１０、１０の一端側の短尺部にあたる部分が半円形に形成され、その反対側には短尺部が設けられていない点が前記ベッド用カーテンフレームＡ１と異なっている。
ベッド用カーテンフレームＡ２の作用は、前記ベッド用カーテンフレームＡ１とほぼ同様であるが、カーテンフレーム本体１ａにおいて短尺部が設けられていない側を壁に付けて使用するタイプである。
【００３０】
なお、本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【図面の簡単な説明】
【００３１】
【図１】本考案に係るベッド用カーテンフレームの第１実施形態の使用状態を示す説明図。
【図２】図１に示したベッド用カーテンフレームの分解説明図。
【図３】本考案に係るベッド用カーテンフレームの第２実施形態の使用状態を示す説明図。
【符号の説明】
【００３２】
Ａ１  ベッド用カーテンフレーム
１  カーテンフレーム本体
１０  長尺部
１１  短尺部
１２  補強リブ
１３  螺子通孔
２  支脚
２０  水平部
２１  挟持板
２２  挟持板
２３  垂直部
２４  取着受具
３   カーテン
４  ベッド
４０  脚
Ａ２  ベッド用カーテンフレーム
１ａ  カーテンフレーム本体
【図１】
0003146630.tif 000003
【図２】
0003146630.tif 000004
【図３】
0003146630.tif 000005